【事件の表示】
　平成　３年特許願第５１７５７５号「トランザクション処理システム」拒絶査定不服審判事件〔平成　４年　４月１６日国際公開、ＷＯ９２／０６４３８、平成　６年　２月２４日国内公表、特表平　６−５０１８０２〕について、次のとおり審決する。
【結　論】
　本件審判の請求は、成り立たない。
【理　由】
１．手続の経緯・本願発明
　本願は、平成３（１９９１）年１０月１日（パリ条約による優先権主張外国庁受理１９９０年１０月１日、米国）を国際出願日とする出願であって、平成１３年１２月４日付で拒絶査定され、これに対し平成１４年３月１１日に拒絶査定に対する審判請求がなされたものであり、その後、当審による平成１６年７月１２日付の拒絶理由通知に対して、平成１７年１月２０日付手続補正書により特許請求の範囲が補正され、その請求項１に係る発明は、上記平成１７年１月２０日付手続補正書により補正された特許請求の範囲の請求項１に記載された次のとおりのものと認める。（以下、「本願発明」という。）
　
「リアルタイムで、選択された商品およびサービスの購入と、それに対応する金融取引を処理するためのトランザクション処理システムであって、
（ａ）更新されたトランザクション情報の組を、第１通信チャンネルを通じて連続的に同報通信するための送信源を有し、前記第１通信チャンネルは、それぞれ前記第１通信チャンネルにおいて対応するトランザクション情報の組を送信する複数のサブチャンネルを有しており、さらに、
（ｂ）前記トランザクション情報の組を受信し、ユーザーが望みの商品およびサービスを選択するための複数の受信機手段と、
（ｃ）前記受信機手段から、第２通信チャンネルを通じて前記ユーザーの金融情報を受信し、前記ユーザーによって選択された商品およびサービスに対する代金の支払いをリアルタイムで認可するトランザクションプロセッサー手段と、を有しており、
　前記トランザクション情報の組は１組毎に、ユーザーに選択を促すための前記商品およびサービスに対応する複数の指示メッセージデータ、および前記入手可能な商品またはサービスに対応する複数のグラフィック情報を有し、
　前記送信源は、さらに、
（ｄ）データバスに接続され、複数の売手およびサービス提供者からのシステム内において入手可能な複数の商品およびサービスに対応するデータのデータフォーマッティングを与えるための送信機マイクロプロセッサー手段と、
（ｅ）前記売手およびサービス提供者から非同期的データを受信して、バッファーに入力し、パケットフォーマッティングを実行し、前記データを同期的な方法で前記データバスに送信する専用プロセッサー手段と、を有しており、
　前記送信機マイクロプロセッサー手段は前記専用プロセッサー手段をポーリングすることによって前記同期的データの送信を実行するようになっており、さらに、
（ｆ）複数の売手およびサービス提供者に対応するグラフィックおよび指示メッセージ情報を送信するべく前記データバスに接続された、前記情報を外部メモリー手段を通じてロードするためのデータ入力装置と、
（ｇ）前記送信機マイクロプロセッサー手段から、前記複数の売手およびサービス提供者に対応するデータを受信し、前記データをビデオ送信に適したビデオフォーマットに変換するための並列データ‐ビデオインターフェイス手段と、を有しており、
　前記送信機マイクロプロセッサー手段は、前記グラフィックおよび指示メッセージデータをフォーマットし、前記データを時分割多重化方式で前記並列データ‐ビデオインターフェイス手段に送信するようになっていることを特徴とするシステム。」
　
２．引用文献
　これに対して、当審から通知された拒絶の理由に引用された米国特許第４７８９８６３号明細書（以下、「引用文献１」という。）、特開平１−２９５３６３号公報（以下、「引用文献２」という。）には、図面とともに次の事項が記載されている。
　
　引用文献１には、以下の１）〜８）の事項が記載されている。
　１）「Referring now to FIG.1, a block diagram illustrates the pay per view entertainment system of the present invention. The system is controlled by a source 10. 　（略）　The source 10 obtains the prerecorded entertainment and distributes to an operator 11. 
 The source 10 obtains the prerecorded entertainment from record companies in the form of equalized master recordings, which can be in analog or digital formats. From these master recordings, compact disc (CD) masters and carts are prepared. Preview carts are prepared, which include highlighted segments from the master recordings. The source is responsible for obtaining the master recordings, quality control of their duplication, and distribution of the duplicated master recordings. The complete works and previews are distributed to the system operator 11 or multi-system operator 12. The multi-system oparators 12 are simply sub-operators who operate in geographical locations different from that of the operator 11. 
 The source 10 is also responsible for the advertising of the system, the programming of the prerecorded entertainment, legal services, customer service, and customer billing.
 The operator 11 and multi-systems operators 12 distribute the prerecorded entertainment on a coaxial cable network connected to subscribers. The cable network is preferably the same cable network presently used to distribute television programs.」（第２欄第１９行〜第５２行） 
　
　２）「The receiver 14 is also connected by a modem and telephone lines to a financial service organization, such as national credit network 16 and a bank 17.」（第２欄第５８行〜第６１行）
　
　３）「Referring now to FIG.2, a flow diagram illustrates the flow of prerecorded entertainment from the source 10. The input 20 to the system is the master recordings from the record companies. The source 10 as explained above is responsible for the CD mastering 21 of the complete work or program and the cart duplication 22 of the previews. These CD masters and cart duplications are the output 23 which are distributed by source 10. The source 10 in turn distributes the CD masters and preview carts to operator 11.
　Referring now to FIG.3, block diagram illustrates the distribution of the recorded entertainment and the payment of subscribers for such services.　
　（途中省略）
　The internal modem is connected by telephone lines to a clearing house 200. The clearing house 200 is capable of checking the subscriber's credit or account at bank 201. The clearing house 200 performs a billing function by transferring funds to source 10.」（第２欄第６４行〜第３欄第２２行）
　
　４）「Referring now to FIG.5, a block diagram illustrates the receiver 100 of the present invention. The receiver 100 includes two main sections, i.e., a program and logic control section 101 and a audio/video routing section 102. The cable network and the subscriber's television set 15.」（第３欄第５５行〜第６１行）
　
　５）「When data is input on the program keypad, the program determines which of the date, selection, or PIN keys has been depressed and thereafter accepts the appropriate input data. When a credit card is in slot 169 and the purchase bar is pressed, the program checks the lockout, dials the billing service, and transfers tha data previously input by the operator via the modem. During this period the PIN key is flashed.
 On receipt of a positive response from the billing service, the Thank You light 111a is activated along with Record and Pause indicators 116 and 111c. If a negative response is received from the billing service, the Change Needed light 111d is activated and the user will be unable to record his selection.」（第４欄第４０行〜第５３行）
　
　６）「A credit card reader 142 or other suitable device is used to input financial data regarding the subscriber. This information is transmitted by the modem 140 over telephone lines to the national credit network 16.」（第４欄第６７行〜第５欄第３行）
　
　７）「The subscriber presses the PIN (personal identification number) key anda enters his PIN using the program keypad 138. The PIN number appears in the window 118 for 15 seconds. The subscriber then puts his credit card into the slot 169 at the bottom of the receiver 100. The subscriber then presses the purchase key 136. The subscriber waits approximately 10-15 seconds. During this period a red light within the PIN key 135 will flash indicationg that the subscriber cannot use his telphone without interrupting the purchase. If appropriate funds are available in the subscriber's checking account, the amount of the selection will be withdrawn and the Thank You 111a light will activate simultaneously with the Record and Pause indicators 111b, 111c. The subscriber at this point will not be able to make another selection or withdraw his cassete or CD from the receiver 100 until after the recording has been completed. The subscrober will also not be able to preview during recording. If sufficient funds are not available, the Change Needed light 111d will be activated, and the subscriber will be able to record a selection until appropriate funds are deposited into his account.　（以下、省略）」（第６欄第２２行〜第４８行）
　
　８）「(b) a transmitter for converting the prerecorded audio entertainment or computer software and previews into an electronic format suitable for transmission;」（請求項１）
　
　してみれば、上記摘記事項から引用文献１には、
「選択された音楽作品、ビデオ、コンピュータソフトウェア、サービス等の購入と、それに対応する金融取引を処理するためのシステムであって、
　完成品や予告編（preview）を、ネットワークを通じて配信（distribute）するためのソース（source）を有し、前記ネットワークは完成品や予告編を加入者（subscriber）へ配信（distribute）するケーブルネットワークを有しており、さらに、
　前記完成品や予告編を受信し、加入者が望みの音楽作品、ビデオ、コンピュータソフトウェア、サービス等を選択するための複数の受信機と、
　前記受信機から、電話回線を通じて前記加入者の金融情報を受信し、前記加入者によって選択された音楽作品、ビデオ、コンピュータソフトウェア、サービス等に対する代金の支払いのための加入者のクレジット又は銀行口座残高のチェックを行うクリアリングハウス（clearing house）と、
　娯楽（音楽やビデオ等）作品、コンピュータソフトウェア、予告編等を送信に適した電子フォーマットに変換するトランスミッターとを有しているシステム。」（以下、「引用文献１に記載された発明」という。）が記載されていると認められる。
　
　同じく、引用文献２には、以下の２１）〜２９）の事項が記載されている。
　
　２１）「本発明は、通信衛星に搭載された中継器を介して、親局から利用者子局へ多数の商品に関する情報を伝送し、その商品情報に基づいて、利用者子局側の利用者が希望する商品を検索する商品情報伝送・検索方法およびその装置に関する。」（第３頁左上欄第１行〜同第５行）
　
　２２）「本発明は、このような事情に鑑みてなされたものであつて、多数の商品情報を多数の需要者に迅速に提供することができ、また、複数商品を比較検討しながら好みの商品を選択することができ、さらには、商品情報の更新を容易かつ迅速に行うことができる商品情報伝送・検索方法およびその装置を提供することを主たる目的としている。」（第４頁左上欄第４行〜同第１０行）
　
　２３）「親局１００は、利用者子局２００での商品検索などに使用される各種の商品デ−タや画像デ−タなどを管理して、必要により各子局との間でデ−タの授受を行うものである。」（第７頁左上欄第５行〜同第８行）
　
　２４）「まず、第３図を参照して親局１００の構成を説明する。
親局１００は大きく分けて次のような四つのデ−タ管理部を備えている。
　第１は、　（中略）　
　第２は、利用者子局２００からの要求により、その利用者子局２００に伝送する商品の画像デ−タや説明文デ−タを管理する画像デ−タ管理部１２０である。この画像デ−タ管理部１２０には、第１図に示した中央画像デ−タ格納手段ＩＢに対応する画像フアイル１２１と、画像デ−タ読み出し手段ＩＣに対応する画像デ−タ管理用コンピユ−タ１２２がある。本実施例では、画像フアイル１２１は複数枚の光デイスクで構成されている。勿論、画像フアイル１２１は、磁気デイスクのようなその他の画像フアイルであつてもよい。
画像デ−タ作成子局５００から伝送されてきたデジタル画像デ−タは、−旦、画像デ−タフアイル１２３に格納される。そして、これらの画像デ−タはデジタル／アナログ（Ｄ／Ａ）変換器１２４によつて周波数変調されたアナログ信号に変換され、光デイスク登録用コンソ−ル１２５の制御によつて画像フアイル１２１の各光デイスクにランダムに格納される。　（中略）　
　各商品の画像デ−タの格納場所を示すデ−タは、光デイスク登録用コンソ−ル１２５に関連して設けられた画像デ−タ分類デ−タフアイル１２６に格納される。画像デ−タ管理用コンピユ−タ１２２は、画像デ−タを要求した利用者子局２００から伝送された各商品コ−ドに基づき、画像デ−タ分類デ−タフアイル１２６の中から、各商品の分類デ−タを読み出し、この分類デ−タをもとに必要な画像デ−タを画像フアイル１２１から読み出す。
画像デ−タ管理部１２０には、画像フアイル１２１ノ各光デイスクに対応する複数個のフレ−ムメモリから構成された画像送信バンフア１２７がある。
画像デ−タ管理用コンピユ−タ１２２の制御によつて各光デイスクから読み出された画像デ−タは、各光デイスクに対応したフレ−ムメモリに一旦格納された後、この画像送信バツフア１２７から順次出力される。
　また、画像デ−タ管理部１２０には、画像デ−タ作成子局５００から伝送されてきた商品説明文デ−タを格納する商品説明文デ−タフアイル１２８がある。各商品の説明文デ−タは、上述した画像デ−タと同様に、それぞれの商品コ−ドに対応付けられて格納されている。画像デ−タ管理用コンピユ−タ１２２は、利用者子局２００からの画像デ−タ要求指令に基づいて画像デ−タを読み出すとともに、その商品の説明文デ−タを商品説明文デ−タフアイル１２８から読み出す。」（第７頁左下欄第１８行〜第８頁左下欄第１４行）
　
　２５）「上述した各管理部１１０．１２０．１３０．１４０は、デ−タ送・受信フロントエンドコンピユ−タ１５０に接続されている。　（中略）
　また、フロントエンドコンピュータ１５０は、子局に伝送すべきデータ（例えば、商品データや商品説明文データなど）のフォーマットを第８図と同様な形態で作成し、伝送すべき子局のコードを付してデータ伝送する。　（中略）
　画像データ管理部１２０で読み出された画像データおよびフロントエンドコンピュータ１５０でフォーマットが作成された商品説明文データなどは、データ多重・変調装置１６０で多重・変調されるとともに、データスクランブルされた後、データ送・受信器１７０に与えられる。
　データ送・受信器１７０は、各子局との間でデータの送・受信を行うもので、第１図に示したデータ送・受信手段ＩＤに対応している。」（第９頁左上欄第２行〜同左下欄第１行）
　
　２６）「なお、画像データ作成子局５００は、必ずしも独立した子局として設置する必要はなく、例えば、商品供給者子局４００に画像入力装置や説明文データ入力端末器を備えておき、その商品供給者子局４００から親局１００に画像データなどを伝送するように構成してもよい。」（第１０頁右下欄第１１行〜第１６行）
　
　２７）「親局１００は各商品供給者子局４００をポーリングすることによって、それぞれの商品供給者子局４００に更新すべき商品データ（追加すべき商品データや削除すべき商品データなど）があるかどうかを確認する。
　データがある場合は、その商品供給者子局４００は、そのデータファイル４１０から更新すべき商品データを取り出して親局１００に一括伝送する。親局１００は、この商品データを商品データ管理部１１０に送って、商品データファイル１１１へ新たな商品データを追加したり、不要になった商品データを削除したりする。
　更新すべき商品データは、利用者子局２００の非営業時間帯を利用して親局１００から各利用者子局２００にいっせいに伝送される。」（第１３頁左上欄第８行〜同頁右上欄第２行）
　
　２８）「この他に一定の時間帯に親局１００から全ての利用者子局２００に商品の動画を伝送して、いわゆるテレビショッピングのような形態によって、商品情報を利用者に提供する様にしてもよい。この際、動画データとともに、商品説明に関する音声データを各利用者子局２００に伝送するのもよい。」（第２１頁左上欄第１行〜第７行）
　
　２９）「実施例では、有形の商品についての情報伝送や検索について説明したが、本発明は、観光案内や引っ越し手配などのサービス（無形の商品）に関する情報の提供や検索にも適用することができる。」（第２１頁左上欄第１４行〜第１８行）
　
３．対比
　本願発明と引用文献１に記載された発明とを対比すると、引用文献１に記載された発明の「音楽作品、ビデオ、コンピュータソフトウェア」は本願発明の「商品」に相当し、以下同様に、「ネットワーク」は本願発明の「第１通信チャンネル」に、「ソース（source）」は本願発明の「送信源」に、「加入者」は本願発明の「ユーザー」に、「ケーブルネットワーク」は本願発明の「それぞれ前記第１通信チャンネルにおいて対応する複数のサブチャンネル」に、「受信機」は本願発明の「受信機手段」に、「電話回線」は本願発明の「第２通信チャンネル」に、「代金の支払いのための加入者のクレジット又は銀行口座残高のチェックを行うクリアリングハウス（clearing house）」は上記摘記事項３），６）の記載からみて本願発明の「代金の支払いを認可するトランザクションプロセッサー手段」にそれぞれ相当する。
　また、引用文献１に記載された発明に係る「ネットワークを通じて配信（distribute）する」ことは、本願発明の「第１通信チャンネルを通じて同報通信する」ことと同意義であり、同様に、引用文献１に記載された発明に係る加入者（subscriber）へ「配信（distribute）する」ことは、本願発明に係るサブチャンネルで「送信する」ことと同意義である。
　また、引用文献１に記載された発明に係る「システム」は、音楽作品、ビデオ、コンピュータソフトウェア（商品）およびサービスの購入と代金の支払いに関するやりとり（トランザクション）を処理するシステムであるから、本願発明の「トランザクション処理システム」に相当する。なお、上記摘記事項５），７）の記載からみて、音楽作品、ビデオ、コンピュータソフトウェア（商品）およびサービスの購入とそれに対応する金融取引の処理およびクリアリングハウス（clearing house）で行われるチェックは、受信機を利用した加入者（ユーザー）の入力に基づいて「リアルタイムで」行われていることが明らかである。
　さらに、引用文献１に記載された発明に係る「完成品や予告編（preview）」と本願発明に係る「更新されたトランザクション情報の組」とは、いずれも通信チャンネルを通じて送信される『情報』であるという概念で共通する。
　
　したがって、両者は、
「リアルタイムで、選択された商品およびサービスの購入と、それに対応する金融取引を処理するためのトランザクション処理システムであって、
　情報を、第１通信チャンネルを通じて同報通信するための送信源を有し、前記第１通信チャンネルは、それぞれ前記第１通信チャンネルにおいて対応する情報を送信する複数のサブチャンネルを有しており、さらに、
　前記情報を受信し、ユーザーが望みの商品およびサービスを選択するための複数の受信機手段と、
　前記受信機手段から、第２通信チャンネルを通じて前記ユーザーの金融情報を受信し、前記ユーザーによって選択された商品およびサービスに対する代金の支払いをリアルタイムで認可するトランザクションプロセッサー手段と、
　を有しているシステム。」の点で一致し、以下の点において相違している。
　
［相違点１］本願発明は、通信チャンネルを通じて送信される「情報」について、当該情報が「更新されたトランザクション情報の組」であり、「トランザクション情報の組は１組毎に、ユーザーに選択を促すための前記商品およびサービスに対応する複数の指示メッセージデータ、および前記入手可能な商品またはサービスに対応する複数のグラフィック情報を有し、」なる限定を付しているのに対し、引用文献１に記載された発明にはかかる限定がない点。
　
［相違点２］本願発明は、「更新された」トランザクション情報の組を第１通信チャンネルを通じて「連続的に」同報通信しているのに対し、引用文献１に記載された発明にはその旨明示されていない点。
　
［相違点３］本願発明は、送信源の具体的構成として下記（i）〜（vi）の構成を有しているのに対し、引用文献１に記載された発明では、システムの構成として、娯楽（音楽やビデオ等）作品、コンピュータソフトウェア、予告編等を送信に適した電子フォーマットに変換するトランスミッターを有していることしか明示されていない点。
　
　（i）「データバスに接続され、複数の売手およびサービス提供者からのシステム内において入手可能な複数の商品およびサービスに対応するデータのデータフォーマッティングを与えるための送信機マイクロプロセッサー手段」を有していること。
　
　（ii）「売手およびサービス提供者から非同期的データを受信して、バッファーに入力し、パケットフォーマッティングを実行し、前記データを同期的な方法で前記データバスに送信する専用プロセッサー手段」を有していること。
　
　（iii）「送信機マイクロプロセッサー手段は専用プロセッサー手段をポーリングすることによって同期的データの送信を実行するようになっている」こと。
　
　（iv）「複数の売手およびサービス提供者に対応するグラフィックおよび指示メッセージ情報を送信するべく前記データバスに接続された、前記情報を外部メモリー手段を通じてロードするためのデータ入力装置」を有していること。
　
　（v）「送信機マイクロプロセッサー手段から、前記複数の売手およびサービス提供者に対応するデータを受信し、前記データをビデオ送信に適したビデオフォーマットに変換するための並列データ‐ビデオインターフェイス手段」を有していること。
　
　（vi）「送信機マイクロプロセッサー手段は、グラフィックおよび指示メッセージデータをフォーマットし、前記データを時分割多重化方式で前記並列データ‐ビデオインターフェイス手段に送信するようになっている」こと。
　
４．判断
　上記相違点について検討する。
４．−１［相違点１について］
　商品情報伝送システムという点で本願発明と技術分野を同じくする引用文献２には、親局から中継器を介して子局に伝送されるデータとして、「商品説明文データ」（上記摘記事項２５））が例示されていることに加え、該「商品説明文データ」は、「画像デ−タと同様に、それぞれの商品コ−ドに対応付けられて格納されている。画像デ−タ管理用コンピユ−タ１２２は、（略）指令に基づいて画像デ−タを読み出すとともに、その商品の説明文デ−タを商品説明文デ−タフアイル１２８から読み出す。」（上記摘記事項２４））との開示がある。
　また、例えば列車や航空機の座席チケットのような商品については、ユーザーが望みの選択をするための質問・応答などの指示メッセージデータを送信する必要があり、商品に対応するデ−タとしてこのような指示メッセージを送信することは列車の指定席や航空券の予約システムとして既に世の中に広く知られているところであって、慣用技術である。
　してみれば、引用文献１に記載された発明におけるネットワークを通じて送信される「情報」として、引用文献２に記載された技術を適用し、商品に対応する画像デ−タと商品説明文データとを組（セット）とするとともに、上記慣用技術を適用して商品説明文データとして指示メッセージデータを含ませることは、当業者が容易に想到できた事項である。
　即ち、引用文献１及び引用文献２に記載された事項並びに慣用技術に基づいて、本願発明の相違点１に係る構成を得ることは、当業者であれば容易になし得た事項である。
　
４．−２［相違点２について］
　通信回線を利用した商品購入のためのシステムにおいて、例えば列車や航空機の座席チケットのように瞬間的に状況が変化するような商品を扱う場合、ユーザーに対して常に更新された情報を提供していく必要があり、このような商品情報の提供の態様は、既に、列車の指定席や航空券の予約システムとして世の中に広く知られているところであって、慣用技術である。
　引用文献１に記載された発明においても、このような瞬間的に状況が変化するような商品を扱うことを想定するならば、「更新された」情報を「連続的に」同報通信するように構成することは、当業者が容易に想到できる事項である。
　即ち、引用文献１に記載された事項及び慣用技術に基づいて、本願発明の相違点２に係る構成を得ることは当業者であれば容易になし得た事項である。
　
４．−３［相違点３について］
　相違点３について、まずは上記（i）〜（vi）を順次検討する。
（１）上記（i）について
　商品情報伝送システムという点で本願発明と技術分野を同じくする引用文献２には、親局を構成するフロントエンドコンピュータについて、「フロントエンドコンピュータ１５０は、子局に伝送すべきデータ（例えば、商品データや商品説明文データなど）のフォーマットを第８図と同様な形態で作成し、データ伝送する。（略）」（上記摘記事項２５））と開示されており、フォーマットされる当該「伝送すべきデータ」が、商品供給者子局（即ち、売手またはサービス提供者）に由来するデータである旨も開示されている（上記摘記事項２６），２９）参照）。
　また、コンピュータシステムにおいては、一般に処理に適した形でのデータのフォーマッティング、例えば並列データの形式にフォーマッティングがなされることは、既に慣用技術となっている。
　してみれば、引用文献１に記載された発明におけるソースの構成として、引用文献２に記載された技術を適用して、送信のためのコンピュータを設け、当該コンピュータに、売手またはサービス提供者に由来するデータのフォーマッティングの機能を持たせることは、当業者が容易に想到できた事項である。
　したがって、引用文献１及び引用文献２に記載された事項及び慣用技術に基づいて、本願発明の相違点３の（i）に係る構成を得ることは当業者であれば容易になし得た事項である。
　
（２）上記（ii）について
　商品情報伝送システムという点で本願発明と技術分野を同じくする引用文献２の上記摘記事項２４）には、親局を構成する画像データ管理コンピュータについて、「画像デ−タ管理部１２０には、第１図に示した中央画像デ−タ格納手段ＩＢに対応する画像フアイル１２１と、画像デ−タ読み出し手段ＩＣに対応する画像デ−タ管理用コンピユ−タ１２２がある。」および「画像デ−タ作成子局５００から伝送されてきたデジタル画像デ−タは、−旦、画像デ−タフアイル１２３に格納される。」と開示されている。ここで、画像デ−タ作成子局から伝送されてきたデジタル画像デ−タは、システム外部から任意のタイミングで伝送されてくるのを受信したデータであって、「非同期的」なデータであることは明らかである。そして、このような非同期的なデータの受信の際には、一旦バッファの役割を果たす記憶手段に入力しておくという慣用技術の一例が開示されている。
　さらに、同上記摘記事項２４）には、「画像デ−タ管理用コンピユ−タ１２２の制御によつて（略）読み出された画像デ−タは、（略）フレ−ムメモリに一旦格納された後、この画像送信バツフア１２７から順次出力される。」と開示されている。ここで、読み出された画像デ−タが「順次出力」されるということは、コンピュータの技術常識に従えば、システム内で管理されたタイミングで、即ち「同期的」に、データバスに送信されることは明らかである。
　また、コンピュータシステムの内部においては、データバス網の効率的な利用を図るためにパケットデータ通信を採用し、そのために、送信側で送信すべきデータをパケットに分割するパケットフォーマッティングがなされることは慣用技術である。
　してみれば、引用文献１に記載された発明におけるソースの構成として、引用文献２に記載された技術を適用して、専用コンピュータを設け、当該専用コンピュータに、非同期的なデータの受信、パケットフォーマッティング、データバスへの同期的出力の各機能を持たせることは、当業者が容易に想到できた事項である。
　したがって、引用文献１及び引用文献２に記載された事項及び慣用技術に基づいて、本願発明の相違点３の（ii）に係る構成を得ることは当業者であれば容易になし得た事項である。
　
（３）上記（iii）について
　商品情報伝送システムという点で本願発明と技術分野を同じくする引用文献２の上記摘記事項２７）には、「親局１００は各商品供給者子局４００をポーリングすることによって、それぞれの商品供給者子局４００に更新すべき商品データ（追加すべき商品データや削除すべき商品データなど）があるかどうかを確認する。デ−タがある場合は、その商品供給者子局４００は、そのデ−タフアイル４１０から更新すべき商品デ−タを取り出して親局１００に一括伝送する。」旨開示されており、コンピュータシステムにおいて、統合的な役割のコンピュータがデータ供給先をポーリングするという慣用技術の一例が開示されている。
　してみれば、引用文献１に記載された発明におけるソースの構成として、引用文献２に一例が示された慣用技術を適用して、フロントエンドコンピュータに統合的なコンピュータの役割を与え、データ供給先である前項（ii）の専用コンピュータへのポーリングとデータバスへの同期的出力管理の各機能を持たせることは、当業者が容易に想到できた事項である。
　したがって、引用文献１及び引用文献２に記載された事項及び慣用技術に基づいて、本願発明の相違点３の（iii）に係る構成を得ることは当業者であれば容易になし得た事項である。
　
（４）上記（iv）について
　よく知られているように、コンピュータシステムにおいて、データ入力の仕組みとしては、通信回線による入力と同様に、ディスク記憶媒体のような外部メモリー手段を通じての入力もまた慣用されており、これに対応するために、通信回線による入力手段と共に、ディスク記憶媒体のような外部メモリー手段を通じてロードするためのデータ入力装置を設けることは慣用技術である。
　こうした慣用技術、及び、前項までに検討した事項を踏まえれば、引用文献１に記載された発明におけるソースの構成として、情報を外部メモリー手段を通じてロードするためのデータ入力装置を設けることは当業者であれば容易になし得るところである。
　したがって、引用文献１及び引用文献２に記載された事項及び慣用技術に基づいて、本願発明の相違点３の（iv）に係る構成を得ることは当業者であれば容易になし得た事項である。
　
（５）上記（v）について
　引用文献２の上記摘記事項２５）には、親局の外部送信のための構成として、「画像データおよびフロントエンドコンピュータ１５０でフォーマットが作成された商品説明文データなどは、データ多重・変調装置１６０で多重・変調されるとともに、データスクランブルされた後、データ送・受信器１７０に与えられる。」旨開示され、同文献の図２には、親局からの外部送信に画像回線が含まれていることが示されている。
　そして、引用文献１に記載された発明のシステムも「娯楽作品、コンピュータソフトウェア、予告編（preview）を伝送に適した電気的フォーマットに変換するトランスミッターを有している」わけであるから、上記（１）項の検討をも踏まえれば、引用文献１及び引用文献２に記載された事項及び慣用技術に基づいて、本願発明の相違点３の（v）に係る構成を得ることは当業者であれば容易になし得た事項である。
　
（６）（vi）について
　コンピュータのデータ通信方式として、低速回線のデータをまとめて高速回線に送り出すデータ多重化は慣用技術であり、その一例として引用文献２の上記摘記事項２５）には、親局内のデータ通信について「画像デ−タ管理部１２０で読み出された画像デ−タおよびフロントエンドコンピユ−タ１５０でフオ−マットが作成された商品説明文デ−タなどは、デ−タ多重・変調装置１６０で多重・変調されるとともに、デ−タスクランブルされた後、デ−タ送・受信器１７０に与えられる。」と記載されている。そのデータ多重化の代表的な方式の一つとして、時分割多重（ＴＤＭ）方式がよく知られているところである。
　「送信機マイクロプロセッサー手段」のデータのフォーマッティング機能、及び、送信機マイクロプロセッサー手段からのデータを受信する「並列データ‐ビデオインターフェイス手段」については、既に前項（１）、（５）で検討したとおりであるが、送信機マイクロプロセッサー手段から並列データ‐ビデオインターフェイス手段へのデータ通信に、慣用技術の代表的な方式の一つである時分割多重（ＴＤＭ）方式を採用することは、当業者が任意になし得る事項である。　
　したがって、引用文献１及び引用文献２に記載された事項及び慣用技術に基づいて、本願発明の相違点３の（vi）に係る構成を得ることは当業者であれば容易になし得た事項である。
　
（７）相違点３についてのまとめ
　以上、相違点３を構成する上記（i）〜（vi）を順次検討してきたが、相違点３を全体的にみたとしても、結局、引用文献１及び引用文献２に記載された事項及び慣用技術に基づいて当業者が容易に想到できた事項の寄せ集めであると判断せざるを得ない。
　
５．むすび
　以上のとおりであるので、本願発明は、引用文献１、２およびコンピュータ分野における慣用技術に基づいて当業者が容易に発明をすることができたものであるから、他の請求項について検討するまでもなく、本願は、特許法第２９条第２項の規定により特許を受けることができない。
　
　よって、結論のとおり審決する。